(57)【要約】      （修正有）【課題】給水管の接続端部と手洗吐水管の基端部との接続をスムーズに行うことができ、接続不良を防ぐことができる洗浄水タンク装置を提供する。【解決手段】便器洗浄水を貯水する洗浄水タンク１２と、洗浄水タンク１２の上方開口部に取り付けられ、上面に手洗鉢が形成された蓋と、蓋の手洗鉢に臨むように設けられ、基端部３０が蓋の下面に突出する手洗吐水管１８と、洗浄水タンク１２内に設けられ手洗吐水管１８へ給水する給水管４４とを備え、給水管４４の接続端部４５は上方に向かって起立した状態で設けられ、給水管４４の接続端部４５を手洗吐水管１８の基端部３０の内側に挿入させて接続する洗浄水タンク装置であって、給水管４４の接続端部４５の外周を取り囲んで、手洗吐水管１８の基端部３０を内部に嵌入させる傾動可能なガイド筒５０と、ガイド筒５０の外周を取り囲んで、ガイド筒の傾動を規制する傾動不能な規制筒５２とを有する洗浄水タンク装置。【選択図】図５
2014070408.tif 000002
【特許請求の範囲】
【請求項１】
便器洗浄水を貯水する洗浄水タンクと、
前記洗浄水タンクの上方開口部に取り付けられ、上面に手洗鉢が形成された蓋と、
前記蓋の手洗鉢に臨むように設けられ、基端部が前記蓋の下面に突出する手洗吐水管と、
前記洗浄水タンク内に設けられ前記手洗吐水管へ給水する給水管と、
を備え、
前記給水管の接続端部は上方に向かって起立した状態で設けられ、
前記給水管の接続端部を前記手洗吐水管の基端部の内側に挿入させるように、前記給水管の接続端部に対して手洗吐水管の基端部を上方から接続する洗浄水タンク装置であって、
前記給水管の接続端部の外周を取り囲んで、前記手洗吐水管の基端部を内部に嵌入させる傾動可能なガイド筒と、
前記ガイド筒の外周を取り囲んで、前記ガイド筒の傾動を規制する傾動不能な規制筒と、を有する洗浄水タンク装置。
【請求項２】
前記ガイド筒及び規制筒に、内部に溜まった水を外部に排水するスリットが形成されている請求項１に記載の洗浄水タンク装置。
【請求項３】
請求項１または２に記載の洗浄水タンク装置を備えた便器装置。
【発明の詳細な説明】
【技術分野】
【０００１】
本発明は、洗浄水タンク装置に関し、特に、洗浄水タンク装置における手洗吐水管の接続構造に関する。
【背景技術】
【０００２】
便器洗浄水を内部に貯水する洗浄水タンクは、一般にタンクと別体を成す蓋に手洗鉢が形成され、そこに手洗吐水管が立設され、かかる手洗吐水管からの吐水によって手を洗える構造となっている。
【０００３】
タンクの内部には、手洗吐水管へ給水するための給水管が設けられ、その給水管の先端部分が、手洗鉢の下面側に突出する手洗吐水管の基端部に挿入されて接続されるようになっている。この時、手洗吐水管と給水管との接続がスムーズに行えるように、給水管の先端部分を取り囲むガイド筒が設けられている。
【０００４】
図１は従来のガイド筒の一例を示している。図において１００は手洗吐水管で、１０２は筒状の部材から成る吐水管の基端部である。
図１に示すように、タンク１２０の内部には、給水を手洗吐水管１００に導くための、給水管１０４が配設されている。給水管１０４の先端部は手洗吐水管１００と接続する接続端部１０６となっており、その接続端部１０６は軸方向にストレートなチューブ状をしており、起立状態に保持されている。接続端部１０６の外周面には、リブ１０７が設けられており、手洗吐水管１００の基端部１０２の内側に当接することで、これら給水管１０４と手洗吐水管１００の接続部より漏水しないようにシールしている。
【０００５】
接続端部１０６の外周には、接続端部１０６を取り囲むように傾動可能な円筒状のガイド筒１０８が設けられている。このガイド筒１０８は、底面に開口部１１０が形成されており、その開口部１１０に給水管１０４の接続端部１０６を挿入することでガイド筒１０８が落ちないように取り付けられている。このような構造とすることで、給水管１０４の接続端部１０６を、手洗吐水管１００の基端部１０２の内側に挿入接続させる際に、給水管１０４と手洗吐水管１００との位置にズレが生じていたとしても、図２のようにガイド筒１０８が適度に傾動することで、基端部１０２がそのガイド筒１０８の内面に沿ってガイドされるため、スムーズに接続動作を行うことができる。
【先行技術文献】
【特許文献】
【０００６】
【特許文献１】実開平７−１５８７４号公報
【発明の概要】
【発明が解決しようとする課題】
【０００７】
この洗浄水タンク装置の場合、ガイド筒１０８は、底面の開口部１１０に給水管１０４の先端部１０６を挿入しただけであるため、傾動範囲が規制されていない。したがって、手洗吐水管の基端部１０２と、給水管の先端部１０６との位置ズレが大きい場合に、それらを無理やり接続するよう試みると、手洗吐水管１００の内部に挿入された給水管の接続端部１０６が内部で折れ曲がり、リブ１０７により適切にシールすることができず、手洗吐水管１００へ適切に給水できない、あるいは接続部からの漏水する、という課題があった。
【課題を解決するための手段】
【０００８】
上記のような課題を解決するために、本発明は、以下のような手段を採用している。すなわち、本発明の洗浄水タンク装置は、便器洗浄水を貯水する洗浄水タンクと、洗浄水タンクの上方開口部に取り付けられ、上面に手洗鉢が形成された蓋と、
蓋の手洗鉢に臨むように設けられ、基端部が前記蓋の下面に突出する手洗吐水管と、
洗浄水タンク内に設けられ前記手洗吐水管へ給水する給水管と、を備え、給水管の接続端部は上方に向かって起立した状態で設けられ、給水管の接続端部を手洗吐水管の基端部の内側に挿入させるように、前記給水管の接続端部に対して手洗吐水管の基端部を上方から接続する洗浄水タンク装置であって、給水管の接続端部の外周を取り囲んで、手洗吐水管の基端部を内部に嵌入させる傾動可能なガイド筒と、ガイド筒の外周を取り囲んで、ガイド筒の傾動を規制する傾動不能な規制筒と、を有する。
【０００９】
このような構成とすることにより、給水管の接続端部と手洗吐水管の基端部とを接続する際に、給水管の接続端部と手洗吐水管の基端部との位置にズレが生じていたとしても、傾動可能なガイド筒によって手洗吐水管の基端部が適切にガイドされ、スムーズに接続することができる。さらに、規制筒によりガイド筒の傾動が所定量に規制されているため、給水管の接続端部と手洗吐水管の基端部との位置ズレが大きい場合には、給水管の接続端部と手洗吐水管の基端部との接続が行えず、接続不良を防ぐことができる。したがって、給水管の接続端部と手洗吐水管の基端部との位置ズレが大きい場合に、給水管の接続端部と手洗吐水管の基端部とが無理やり接続され、給水管の接続端部が手洗吐水管の内部で折れ曲がった状態になって、手洗吐水管へ適切に給水できない、あるいは接続部から漏水する、といった不具合を防ぐことができる。
【００１０】
また、好ましくは本発明の洗浄水タンク装置は、ガイド筒及び規制筒に、内部に溜まった水を外部に排水するスリットが形成されている。
このような構成とすることにより、給水管の接続端部と手洗吐水管の基端部との接続部から万が一漏水したとしても、ガイド筒及び規制筒に水が溜まることがない。
【００１１】
また、本発明は、一実施形態による洗浄水タンク装置を備えた水洗大便器である。
このように構成された本発明においては、手洗吐水管へ適切に給水できない、あるいは接続部から漏水する、といった不具合を防ぐことができる。
【発明の効果】
【００１２】
本発明によれば、給水管の接続端部と手洗吐水管の基端部との接続をスムーズに行うことができ、且つ、接続不良を防ぐことができる。
【図面の簡単な説明】
【００１３】
【図１】従来のガイド筒の図である。
【図２】図１のタンク上部の部分拡大縦断面図である。
【図３】本実施形態の洗浄水タンク装置付き便器の斜視図である。
【図４】手洗吐水管の固定構造及び前述の継手の構造を示す図である。
【図５】本実施形態のガイド手段を示す図である。
【発明を実施するための形態】
【００１４】
以下、図面を参照しつつ、本発明の実施の形態について説明する。
図２は本発明の実施の形態である洗浄水タンク装置付き便器の斜視図である。
図２において１は便器本体で、１０は洗浄水タンク装置である。そして、洗浄水タンク装置１０は、タンク１２と、タンク１２の上方開口部１２ａに取り付けられる蓋１４から構成され、この蓋１４の上面に形成された手洗鉢１６には手洗吐水管１８が立設されている。そして、タンク１２の内部に貯水された洗浄水が便器本体１に供給されることで、所定の便器洗浄動作を行えるよう構成されている。
【００１５】
次に、図３により洗浄水タンク装置の内部構造について説明する。
図３において、タンク内部にはボールタップ２２が配設されている。このボールタップ２２は従来公知のものであって、タンク内部の水位とともに昇降する浮子２３を有し、この浮子２３の運動がリンク機構２４を介して開閉弁の弁体（図示せず）に伝達され、以て開閉弁が開閉動作するようになっている。なお、ボールタップ２２には、外部の給水源から導水管２６によって洗浄水が給水されている。
上記開閉弁が開動作されたとき、ボールタップ２２の流路の水が吐水口２５よりタンク内部に直接吐水されると共に、給水の一部が詳細は後述する継手によって手洗吐水管１８へ給水される。そして、手洗吐水管１８から吐水された洗浄水は、一旦は手洗鉢１６で受けられ、手洗鉢１６の中央に形成された排水口２０よりタンク２０内部へ排水される。排水口２０より排水された洗浄水は、タンク内部に設けられた受け皿２８で受け、そこから排水弁装置２９に当たらない場所へと排水される。
【００１６】
次に、図４により手洗吐水管の固定構造及び前述の継手の構造について説明する。
手洗吐水管１８の筒状の基端部３０の外周面には雄ネジが形成されている。そして、その基端部３０を蓋１４の固定穴３２に上方から挿入し、蓋１４の下面側からワッシャー３４とストッパ３６を取り付けることにより、手洗吐水管１８を蓋１４に固定する。なお、ストッパ３６の内周面には基端部３０の雄ネジと螺合する雌ネジが形成されているため、ストッパ３６を基端部３０に対してねじ込むことで、蓋１４に手洗吐水管１８を強固に固定することができる。
【００１７】
また、ボールタップ２２の吐水口２５に至る流路の途中には、分岐口３８が形成されており、ボールタップ２２の給水の一部を手洗吐水管へと給水可能に構成されている。分岐口３８には略Ｓ字形状の継手４０が接続されている。継手４０は、分岐口４０に接続される接続口４２と、手洗吐水管１８の基端部３０と接続されるチューブ状の手洗給水管４４と、詳細は後述するガイド手段４９が設けられており、継手４０は分岐口３８に対して鉛直軸周りに回動可能に固定されている。
【００１８】
次に、図５により本実施形態のガイド手段について説明する。
ガイド手段４９は、手洗給水管４４の接続端部４５の外周を取り囲む有底筒状のガイド筒５０と、そのガイド筒５０の外周を取り囲む有底筒状の規制筒５２から形成されている。
ガイド筒５０は、底面に開口部５４が形成され、その開口部５４に手洗給水管４４を挿通させることによりガイド筒５０が継手４０から落ちないように取り付けられている。この開口部５４の内径は、手洗給水管４４の外径より若干大きく形成されているため、開口部５４と手洗給水管４４との間には微小な隙間が形成されている。この微小な隙間によりガイド筒５０は手洗給水管４４に対して傾動することが可能に構成されている。
【００１９】
規制筒５２の下部には雌ネジ部５６が形成されており、継手４０に形成された雄ネジ部５８に対して螺合固定されている。したがって、この規制筒５２は手洗給水管４４に対して傾動不能であるため、規制筒５２の内側に配置されたガイド筒５０が所定量以上傾動することを規制する役割を果たす。
【００２０】
なお、手洗給水管４４の先端部の接続端部４５の外周にはリブ６０が設けられており、手洗給水管４４の接続端部４５と手洗吐水管１８の基端部３０との接続の際に、手洗吐水管１８の基端部３０の内側に当接させることで、これら給水管４４と手洗吐水管１８の接続部より漏水しないようにシールする構造となっている。
【００２１】
以下に、本実施形態のガイド手段４９の機能について説明する。
ガイド手段４９は、手洗給水管４４の接続端部４５を手洗吐水管１８の基端部３０の内側に挿入させるように、手洗給水管４４の接続端部４５に対して手洗吐水管１８の基端部３０を上方から接続する際に、手洗給水管４４の接続端部４５と手洗吐水管１８の基端部３０の位置にズレが生じていたとしても、傾動可能なガイド筒５０が傾動し、その内面に沿って手洗給水管１８の基端部３０を適切な位置までガイドすることができるため、スムーズな接続を行うことができる。また、ガイド筒５０の外側に設けられた傾動不能な規制筒５２により、ガイド筒５０の傾動が所定量に規制されるため、手洗給水管４４の接続端部４５と手洗吐水管１８の基端部３０の位置に大きなズレが生じ、ガイド筒５０が所定量傾動しても手洗吐水管１８の基端部３０がガイド筒５０の内側に収まらないような場合は、手洗給水管４４と手洗吐水管１８の接続が阻止される。
【００２２】
したがって、手洗給水管４４と手洗吐水管１８の位置に大きなズレがある場合に、それらが無理やり接続され、手洗吐水管１８の内部に挿入された給水管４４の接続端部４５が内部で折れ曲がるなどして、手洗吐水管１８へ適切に給水できない、あるいは接続部から漏水する、といった不具合を防ぐことができる。
【００２３】
以上、本実施形態を詳述したが、これはあくまで一例である。例えば、本実施形態では、ガイド筒及び規制筒を継手と別体に形成したが、これを一体にしてもよい。
また、本実施形態のガイド筒及び規制筒の適当な箇所に、内部に溜まった水を外部に排水する水抜き用のスリットや切欠きを設けてもよい。本発明は、その主旨を逸脱しない範囲において、当業者の知識に基づき様々な変更を加えた形態で構成可能である。
なお、本実施形態におけるタンク１２及び蓋１４は、外観品位、強度、表面硬度の観点から陶器で構成されている。
【符号の説明】
【００２４】
１      便器本体
１０    洗浄水タンク装置
１２    タンク
１２ａ  （タンクの）上方開口部
１４    蓋
１６    手洗鉢
１８    手洗吐水管
２０    排水口
２２    ボールタップ
２３    浮子
２４    リンク機構
２６    導水管
２８    受け皿
３０    基端部
３２    固定穴
３４    ワッシャー
３６    ストッパ
３８    分岐口
４０    継手
４２    接続口
４４    手洗給水管
４５    接続端部
４９    ガイド手段
５０    ガイド筒
５２    規制筒
５４    開口部
５６    雌ネジ部
５８    雄ネジ部
６０    リブ
１００  手洗吐水管
１０２  基端部
１０４  給水管
１０６  基端部
１０７  リブ
１０８  ガイド筒
１１０  開口部
１２０  タンク
【図１】
2014070408.tif 000003
【図２】
2014070408.tif 000004
【図３】
2014070408.tif 000005
【図４】
2014070408.tif 000006
【図５】
2014070408.tif 000007